(57)【要約】【課題】発信装置の位置を適切に提供できるサーバ装置、プログラム及び画像生成システムを提供する。【解決手段】サーバ装置３０は、発信装置１０から発信される無線信号のゲートウェイ装置２０における受信強度に対応した色の濃度を用いて、ゲートウェイ装置２０に対する発信装置１０の相対位置を表現するための画像を生成するサーバ装置であって、ゲートウェイ装置２０における無線信号の受信強度を取得する取得部と、発信装置１０から発信される無線信号の受信強度と色の濃度とを対応づけて記録する第１データベースを参照することにより、取得された受信強度に対応する色の濃度を特定する特定部３３と、特定された色を用いた、発信装置１０の相対位置を表現するための画像を生成する画像生成部３５と、を備える。【選択図】図１
2019015586.tif 000002
【特許請求の範囲】
【請求項１】
発信装置から発信される無線信号のゲートウェイ装置における受信強度に対応した色の濃度を用いて、前記ゲートウェイ装置に対する前記発信装置の相対位置を表現するための画像を生成するサーバ装置であって、
前記ゲートウェイ装置における前記無線信号の受信強度を取得する取得部と、
発信装置から発信される無線信号の受信強度と色の濃度とを対応づけて記録する第１データベースを参照することにより、取得された前記受信強度に対応する色の濃度を特定する特定部と、
前記特定された色を用いた、前記発信装置の相対位置を表現するための画像を生成する画像生成部と、
を備える、
サーバ装置。
【請求項２】
前記取得部は、前記無線信号を受けた複数のゲートウェイ装置のＩＤ情報を取得し、
前記特定部は、前記ゲートウェイ装置のＩＤ情報と当該ＩＤ情報に割り当てた色とを関連づけて記録する第２データベースを参照することにより、取得された複数の前記ＩＤ情報に関連づけられた複数の色を特定し、
前記画像生成部は、特定された前記複数の色を合成した前記画像を生成する、
請求項１に記載のサーバ装置。
【請求項３】
発信装置から発信される無線信号のゲートウェイ装置における受信強度に対応した色の濃度を用いて、前記ゲートウェイ装置に対する前記発信装置の相対位置を表現するための画像を生成するサーバ装置に備えられたコンピュータを、
前記ゲートウェイ装置における前記無線信号の受信強度を取得する取得部、
発信装置から発信される無線信号の受信強度と色の濃度とを対応づけて記録するデータベースを参照することにより、取得された前記受信強度に対応する色の濃度を特定する特定部、
前記特定された色を用いた、前記発信装置の相対位置を表現するための画像を生成する画像生成部、
として機能させるプログラム。
【請求項４】
請求項１又は２に記載のサーバ装置と通信可能に接続するコンピュータにおいて実行されるプログラムであって、
コンピュータを、
前記サーバ装置で生成される前記画像を表示する表示部
として機能させるプログラム。
【請求項５】
無線信号を発信する発信装置と、
前記発信装置から発信された前記無線信号を受信し、当該無線信号の受信強度を送信するゲートウェイ装置と、
前記ゲートウェイ装置における前記受信強度に対応した色の濃度を用いて、前記ゲートウェイ装置に対する前記発信装置の相対位置を表現するための画像を生成するサーバ装置と、を備え、
前記サーバ装置は、
前記ゲートウェイ装置における前記無線信号の受信強度を取得する取得部と、
発信装置から発信される無線信号の受信強度と色の濃度とを対応づけて記録するデータベースを参照することにより、取得された前記受信強度に対応する色の濃度を特定する特定部と、
前記特定された色を用いた、前記発信装置の相対位置を表現するための画像を生成する画像生成部と、を備える、
画像生成システム。
【請求項６】
前記発信装置は、前記サーバ装置の前記画像生成部が生成した前記画像を表示する表示部を備える、
請求項５に記載の画像生成システム。
【発明の詳細な説明】
【技術分野】
【０００１】
本発明は、サーバ装置、プログラム及び画像生成システムに関する。
【背景技術】
【０００２】
近年、Ｗｉ−Ｆｉ（登録商標）（Ｗｉｒｅｌｅｓｓ  Ｆｉｄｅｌｉｔｙ）を使った通信端末の測位サービスが普及し始めている。
【０００３】
これに関して、特許文献１には、通信端末の測位において、その通信端末から送信された信号を複数のアクセスポイント（以下、ＡＰ（Ａｃｃｅｓｓ  Ｐｏｉｎｔ）と称する。）が受信し、その受信電力レベルや各ＡＰにおけるデータ取得時刻等に基づいて各ＡＰから通信端末までの距離を算出し、通信端末の位置を特定する三点測位方法が記載されている。
【先行技術文献】
【特許文献】
【０００４】
【特許文献１】特表２００９−５３６８０８号公報
【発明の概要】
【発明が解決しようとする課題】
【０００５】
特許文献１に記載のような通信端末の測位方法においては、通信端末の移動に伴って、各ＡＰで測定された電波信号の受信レベルを収集し、収集された全ての受信レベル情報と、各ＡＰにおいて受信レベルを測定した時刻と、を総合的に考慮して通信端末のｘｙ座標位置、つまり、地図上の座標点を算出する。しかしながら、地図上の座標点を算出するためには、様々なパラメータに基づいて複雑な測位処理を実行する必要があったので、通信端末の地図上の座標点を正確に算出することが困難であった。そして、地図上の不正確な座標点をユーザに対して提供してしまうことで、ユーザは、通信端末の位置を適切に把握できないおれそがあった。つまり、ユーザに対して発信装置の位置を適切に提供できていなかった。
【０００６】
そこで、本発明は、発信装置の位置を適切に提供できるサーバ装置、プログラム及び画像生成システムを提供することを目的とする。
【課題を解決するための手段】
【０００７】
本発明の一態様に係るサーバ装置は、発信装置から発信される無線信号のゲートウェイ装置における受信強度に対応した色の濃度を用いて、ゲートウェイ装置に対する発信装置の相対位置を表現するための画像を生成するサーバ装置であって、ゲートウェイ装置における無線信号の受信強度を取得する取得部と、発信装置から発信される無線信号の受信強度と色の濃度とを対応づけて記録する第１データベースを参照することにより、取得された受信強度に対応する色の濃度を特定する特定部と、特定された色を用いた、発信装置の相対位置を表現するための画像を生成する画像生成部と、を備える。
【０００８】
上記サーバ装置において、取得部は、無線信号を受けた複数のゲートウェイ装置のＩＤ情報を取得し、特定部は、ゲートウェイ装置のＩＤ情報と当該ＩＤ情報に割り当てた色とを関連づけて記録する第２データベースを参照することにより、取得された複数のＩＤ情報に関連づけられた複数の色を特定し、画像生成部は、特定された複数の色を合成した画像を生成する。
【０００９】
本発明の一態様に係るプログラムは、発信装置から発信される無線信号のゲートウェイ装置における受信強度に対応した色の濃度を用いて、ゲートウェイ装置に対する発信装置の相対位置を表現するための画像を生成するサーバ装置に備えられたコンピュータを、ゲートウェイ装置における無線信号の受信強度を取得する取得部、発信装置から発信される無線信号の受信強度と色の濃度とを対応づけて記録するデータベースを参照することにより、取得された前記受信強度に対応する色の濃度を特定する特定部、特定された色を用いた、発信装置の相対位置を表現するための画像を生成する画像生成部、として機能させる。
【００１０】
本発明の一態様に係るプログラムは、上記サーバ装置と通信可能に接続するコンピュータにおいて実行されるプログラムであって、コンピュータを、サーバ装置で生成される画像を表示する表示部として機能させる。
【００１１】
本発明の一態様に係る画像生成システムは、無線信号を発信する発信装置と、発信装置から発信された無線信号を受信し、当該無線信号の受信強度を送信するゲートウェイ装置と、ゲートウェイ装置における受信強度に対応した色の濃度を用いて、ゲートウェイ装置に対する発信装置の相対位置を表現するための画像を生成するサーバ装置と、を備え、サーバ装置は、ゲートウェイ装置における無線信号の受信強度を取得する取得部と、発信装置から発信される無線信号の受信強度と色の濃度とを対応づけて記録するデータベースを参照することにより、取得された受信強度に対応する色の濃度を特定する特定部と、特定された色を用いた、発信装置の相対位置を表現するための画像を生成する画像生成部と、を備える。
【００１２】
上記画像生成システムにおいては、発信装置は、サーバ装置の画像生成部が生成した画像を表示する表示部を備える。
【発明の効果】
【００１３】
本発明によれば、発信装置から発信される無線信号のゲートウェイ装置における受信強度に対応した色の濃度を用いて、ゲートウェイ装置に対する発信装置の相対位置を表現するための画像を生成するので、発信装置の位置を座標点として地図上に表示することなく、一見して把握容易な色の濃度を用いて発信装置の位置をユーザに対して提供できる。このように、発信装置の位置を適切に提供できるサーバ装置、プログラム及び画像生成システムが提供される。
【図面の簡単な説明】
【００１４】
【図１】本発明の実施形態に係る画像生成システムのネットワーク構成を示す図である。
【図２】本発明の実施形態に係るゲートウェイ装置及びサーバ装置の機能ブロックを示す図である。
【図３】本発明の実施形態に係る色名、色の１６進数、及び色値を対応づけたテーブルの一例である。
【図４】本発明の実施形態に係る画像生成システムにおいて実行される画像生成処理のフローチャートの一例である。
【図５】本発明の実施形態に係るゲートウェイ装置に対する発信装置の位置関係を示す概念図である。
【図６】本発明の実施形態に係る画像生成システムにおいて実行される画像生成処理のフローチャートの他の一例である。
【図７】本発明の実施形態に係るゲートウェイ装置に対する発信装置の位置関係を示す概念図である。
【図８】本発明の実施形態に係るゲートウェイ装置に対する発信装置の相対位置を表現するための画像の表示例である。
【図９】本発明の実施形態に係るゲートウェイ装置に対する発信装置の相対位置を表現するための画像の他の表示例である。
【発明を実施するための形態】
【００１５】
添付図面を参照して、本発明の実施形態について説明する。なお、各図において、同一の符号を付したものは、同一又は同様の構成を有する。
【００１６】
図１は、本発明の実施形態に係る画像生成システムのネットワーク構成を示す図である。図１に示すように、画像生成システム１は、例示的に、発信装置１０と、複数のゲートウェイ装置２０と、サーバ装置３０と、ユーザ端末装置４０と、を備える。画像生成システム１は、例えば、発信装置１０から発信される無線信号のゲートウェイ装置２０における受信強度に対応した色の濃度を用いて、ゲートウェイ装置２０に対する発信装置１０の相対位置を表現するための画像を生成するシステムである。
【００１７】
発信装置１０は、無線信号を発信する装置である。発信装置１０は、例えばユーザが携帯する装置であり、任意のタイミングで無線信号を発信する。ここで、発信装置１０が発信する無線信号は、発信装置１０のＩＤを含む。発信装置１０は、第１通信ネットワークＮ１に接続される。第１通信ネットワークＮ１は、無線通信ネットワークであってよく、発信装置１０は、無線通信を行うための通信インターフェースを備えていてよい。なお、発信装置１０の台数に制限はない。
【００１８】
ゲートウェイ装置２０は、発信装置１０から発信された無線信号を受信し、当該無線信号の受信強度を送信する。例えば、ゲートウェイ装置２０は、第１通信ネットワークＮ１を介して発信装置１０から無線信号を受信する。また、ゲートウェイ装置２０は、第２通信ネットワークＮ２を介して、無線信号の受信強度をサーバ装置３０に送信する。第２通信ネットワークＮ２は、無線通信ネットワークであってもよいし、有線通信ネットワークであってもよく、ＬＡＮ（Ｌｏｃａｌ  Ａｒｅａ  Ｎｅｔｗｏｒｋ）であってもよい。
【００１９】
サーバ装置３０は、ゲートウェイ装置２０における、無線信号の受信強度に対応した色の濃度を用いて、ゲートウェイ装置２０に対する発信装置１０の相対位置を表現するための画像を生成する。例えば、サーバ装置３０は、第２通信ネットワークＮ２を介して、無線信号の受信強度をゲートウェイ装置２０から受信し、第３通信ネットワークＮ３を介して、生成された画像をユーザ端末装置４０に送信する。第３通信ネットワークＮ３は、インターネットであってよく、無線通信ネットワーク及び有線通信ネットワークを含んでよい。なお、サーバ装置３０は、生成した画像をサーバ装置３０が備える表示装置（不図示）において表示してもよい。なお、サーバ装置３０の台数に制限はない。
【００２０】
ユーザ端末装置４０は、サーバ装置３０で生成された画像を表示する装置である。例えば、ユーザ端末装置４０は、無線信号の受信強度に対応した色の濃度を用いた、ゲートウェイ装置２０に対する発信装置１０の相対位置を表現するための画像を表示する。ユーザは、当該画像を確認して自身の位置を把握することができる。なお、ユーザ端末装置４０は、例えば汎用のパーソナルコンピュータ、スマートフォン、及び腕時計等であってよい。また、上記では、ユーザ端末装置４０と発信装置１０とは別の装置として説明したが、ユーザ端末装置４０と発信装置１０とは同一の装置であってもよい。つまり、ユーザ端末装置４０は、無線信号を発信する装置であって、サーバ装置３０が生成した画像を表示する装置として採用されてもよい。なお、ユーザ端末装置４０の台数に制限はない。
【００２１】
図２は、本発明の実施形態に係るゲートウェイ装置及びサーバ装置の機能ブロックを示す図である。図２に示すように、ゲートウェイ装置２０は、機能的に、通信部２１と、測定部２３と、受信強度データベース（ＤＢ）２５と、を備える。また、サーバ装置３０は、機能的に、通信部３１と、特定部３３と、画像生成部３５と、色濃度データベース（ＤＢ）３７と、色データベース（ＤＢ）３９と、を備える。
【００２２】
ゲートウェイ装置２０の通信部２１は、発信装置１０から発信される無線信号を取得する。通信部２１は、発信装置１０から発信装置ＩＤＩ１を取得する。発信装置ＩＤＩ１は、発信装置１０から無線信号に含まれて発信されてもよいし、当該無線信号とは別個に発信されてもよい。
【００２３】
測定部２３は、発信装置１０から発信される無線信号の受信強度を測定する。
【００２４】
受信強度ＤＢ２５は、発信装置ＩＤＩ１ごとに、測定部２３により測定された無線信号の受信強度Ｉ３を関連づけて記録する。
【００２５】
サーバ装置３０の通信部３１（取得部）は、ゲートウェイ装置２０における、発信装置１０から発信される無線信号の受信強度を取得する。また、通信部３１は、発信装置１０から発信される無線信号を受けた複数のゲートウェイ装置２０のＩＤ情報を取得する。
【００２６】
色濃度ＤＢ３７（第１データベース）は、発信装置１０から発信される無線信号の受信強度Ｉ５と色の濃度Ｉ７とを対応づけて記録する。
【００２７】
図３は、本発明の実施形態に係る色名、色の１６進数、及び色値を対応づけたテーブルの一例である。図３に示すように、例えば、赤色の濃淡（濃度）は赤値（０〜２５５）に、緑色の濃淡は緑値（０〜２５５）に、青色の濃淡は青値（０〜２５５）にそれぞれ対応している。色濃度ＤＢ３７は、無線信号のＲＳＳＩ（Ｒｅｃｅｉｖｅｄ  Ｓｉｇｎａｌ  Ｓｔｒｅｎｇｔｈ  Ｉｎｄｉｃａｔｉｏｎ）（受信強度）の０ｄＢ〜−１００ｄＢと、Ｒ値（０〜２５５）と、を互いに関連づけて記録し、ＲＳＳＩの０ｄＢ〜−１００ｄＢと、Ｇ値（０〜２５５）と、を互いに関連づけて記録し、ＲＳＳＩの０ｄＢ〜−１００ｄＢと、Ｂ値（０〜２５５）と、を互いに関連づけて記録する。ここで、ＲＳＳＩ（０ｄＢ〜−１００ｄＢ）と色値（０〜２５５）との対応づけについては、ＲＳＳＩ（０ｄＢ〜−１００ｄＢ）に対して重み付けをした上で色値と対応づけている。つまり、ＲＳＳＩ（０ｄＢ〜−１００ｄＢ）に対して２．５を乗じることによって、ＲＳＳＩと色値との値差を縮めるように対応づけている。このように、色濃度ＤＢ３７は、無線信号のＲＳＳＩと各色の濃度とを対応づけて記録する。なお、無線信号の受信強度としてＲＳＳＩの他、ＳＮＲ（Ｓｉｇｎａｌ−ｔｏ−Ｎｏｉｓｅ  Ｒａｔｉｏ）（信号対雑音比）等を採用してもよい。
【００２８】
なお、色の三属性として、色相、明度、及び彩度が知られている。例えば、色の濃度（濃淡）は、明度及び彩度の少なくとも一方に鑑みて決定され、各色の濃度は、１６進数カラーコード（例えば、「白」に対応する「♯ＦＦＦＦＦＦ」、「赤」に対応する「♯ＦＦ００００」等）のいずれかで表すことができる。また、本実施形態において「色」は、Ｒ（赤）Ｇ（緑）Ｂ（青）に限られず、Ｃ（シアン）Ｍ（マゼンタ）Ｙ（イエロー）やＣ（シアン）Ｍ（マゼンタ）Ｙ（イエロー）Ｋ（ブラック）を採用してもよい。
【００２９】
色ＤＢ３９（第２データベース）は、ゲートウェイ装置ＩＤＩ９（ゲートウェイ装置のＩＤ情報）と当該ゲートウェイ装置ＩＤＩ９に割り当てた色Ｉ１１とを関連づけて記録する。例えば、後述する図７に示すように、一のゲートウェイ装置２０（Ｒ）には予め赤色を割り当て、もう一つのゲートウェイ装置２０（Ｇ）には予め緑色を割り当て、他のゲートウェイ装置２０（Ｂ）には予め青色を割り当てる。
【００３０】
特定部３３は、発信装置１０から発信される無線信号の受信強度Ｉ５と色の濃度Ｉ７とを対応づけて記録する色濃度ＤＢ３７（第１データベース）を参照することにより、取得された受信強度に対応する色の濃度を特定する。また、特定部３３は、ゲートウェイ装置ＩＤＩ９（ゲートウェイ装置２０のＩＤ情報）と当該ゲートウェイ装置ＩＤＩ９に割り当てた色Ｉ１１とを関連づけて記録する色ＤＢ３９（第２データベース）を参照することにより、取得された複数のゲートウェイ装置２０のＩＤ情報に関連づけられた複数の色を特定する。
【００３１】
画像生成部３５は、特定部３３により特定された色を用いた、ゲートウェイ装置２０に対する発信装置１０の相対位置を表現するための画像を生成する。また、画像生成部３５は、特定部３３により特定された複数の色を合成した、ゲートウェイ装置２０に対する発信装置１０の相対位置を表現するための画像を生成する。
【００３２】
図４及び図５を用いて、図１に示すユーザ端末装置４０の機能と発信装置１０の機能とを備えるスマートフォン１０，４０を携帯するユーザＵの位置を示す単色画像の生成処理の一例を説明する。図４は、スマートフォン１０，４０が発信した無線信号を単一のゲートウェイ装置２０のみが取得した場合の画像生成処理のフローチャートの一例である。図５は、本発明の実施形態に係るゲートウェイ装置２０に対するスマートフォン１０，４０の位置関係を示す概念図である。なお、以下では、予め青色に割り当てられた単一のゲートウェイ装置２０のみが無線信号を取得する場合について説明するが、他の単一色を採用してもよい。
【００３３】
（ステップＳ１）
スマートフォン１０，４０が無線信号を発信する。
【００３４】
（ステップＳ３）
予め青色に割り当てられた単一のゲートウェイ装置２０のみが無線信号を取得する。
【００３５】
（ステップＳ５）
図２に示すゲートウェイ装置２０の測定部２３は、無線信号の受信強度を測定する。そして、通信部２１は、測定した受信強度をサーバ装置３０に送信する。
【００３６】
（ステップＳ７）
図２に示すサーバ装置３０の特定部３３は、色濃度ＤＢ３７を参照することにより、取得された受信強度に対応する青色の濃度を特定する。例えば、色濃度ＤＢ３７は、図５の矢印で例示したように、ゲートウェイ装置２０を中心にゲートウェイ装置２０により近い領域を濃い色に対応づけ（高い受信強度をより濃い色に対応づけ）、ゲートウェイ装置２０を中心にゲートウェイ装置２０により遠い領域を薄い色に対応づけ（低い受信強度をより薄い色に対応づけ）る。また、図３に示すように、色名「青」はＲＧＢ値「０：０：２５５」であり、色名「紺」（濃い青）はＲＧＢ値「０：０：１２８」である。そして、色濃度ＤＢ３７において、例えば受信強度−５０ｄＢが色名「紺」（濃い青）に対応づけられている場合、図２に示すサーバ装置３０の通信部３１が取得した受信強度が−５０ｄＢであった場合は、当該受信強度に対応する「紺」が特定される。
【００３７】
（ステップＳ９）
画像生成部３５は、特定部３３により特定された色「紺」を用いた、ゲートウェイ装置２０に対するスマートフォン１０，４０の相対位置を表現するための画像Ｇ１を生成する。通信部３１は、画像生成部３５が生成した画像をスマートフォン１０，４０に送信する。そして、スマートフォン１０，４０のディスプレイ１２に画像Ｇ１を表示する。
【００３８】
本実施形態によれば、スマートフォン１０，４０から発信される無線信号のゲートウェイ装置２０における受信強度に対応した色の濃度を用いて、ゲートウェイ装置２０に対するスマートフォン１０，４０の相対位置を表現するための画像を生成する。よって、スマートフォン１０，４０（ユーザ）の位置を座標点として地図上に表示することなく、一見して把握容易な色の濃度を用いて、スマートフォン１０，４０（ユーザ）の位置をユーザに対して提供できるので、スマートフォン１０，４０（ユーザ）の位置を適切に提供できる。
【００３９】
図６及び図７を用いて、図１に示すユーザ端末装置４０の機能と発信装置１０の機能とを備えるスマートフォン１０，４０を携帯するユーザＵの位置を示す、合成色画像の生成処理の一例を説明する。図６は、スマートフォン１０，４０が発信した無線信号を複数のゲートウェイ装置２０が取得した場合の画像生成処理のフローチャートの一例である。図７は、本発明の実施形態に係る複数のゲートウェイ装置２０に対するスマートフォン１０，４０の位置関係を示す概念図である。
【００４０】
（ステップＳ１１）
スマートフォン１０，４０が無線信号を発信する。
【００４１】
（ステップＳ１３）
３つのゲートウェイ装置２０が無線信号を取得する。
【００４２】
（ステップＳ１５）
３つのゲートウェイ装置２０それぞれの測定部２３（図２参照）が無線信号の受信強度を測定する。３つのゲートウェイ装置２０それぞれの通信部２１は、測定部２３が測定した受信強度をゲートウェイ装置ＩＤとともにサーバ装置３０に送信する。
【００４３】
（ステップＳ１７）
図２に示すサーバ装置３０の特定部３３は、色ＤＢ３９を参照することにより、取得された複数のゲートウェイ装置ＩＤに関連づけられた複数の色を特定する。図２に示すように、色ＤＢ３９は、ゲートウェイ装置ＩＤＩ９と当該ゲートウェイ装置ＩＤＩ９に割り当てた色Ｉ１１とを関連づけて記録する。例えば、図７に示すように、特定部３３は、ゲートウェイ装置２０から送信されたゲートウェイ装置ＩＤを用いて、色ＤＢ３９を参照することで、３つのゲートウェイ装置２０のうち、一のゲートウェイ装置２０（Ｒ）には予め赤色が割り当てられており、もう一つのゲートウェイ装置２０（Ｇ）には予め緑色が割り当てられており、他のゲートウェイ装置２０（Ｂ）には予め青色が割り当てられていたことを特定する。そして、特定部３３は、色濃度ＤＢ３７を参照することで、ゲートウェイ装置２０（Ｒ）、ゲートウェイ装置２０（Ｇ）、及びゲートウェイ装置２０（Ｂ）のそれぞれで測定された無線信号の受信強度に対応する各色の濃度を特定する。例えば、ゲートウェイ装置２０（Ｒ）における受信強度から色名「茶色」／ＲＧＢ値「１２８：０：０」を特定し、ゲートウェイ装置２０（Ｇ）における受信強度から色名「緑」／ＲＧＢ値「０：１２８：０」を特定し、ゲートウェイ装置２０（Ｂ）における受信強度から色名「紺」／ＲＧＢ値「０：０：１２８」を特定する。
【００４４】
（ステップＳ１９）
画像生成部３５は、特定部３３により特定された各色を合成した、ゲートウェイ装置２０に対するスマートフォン１０，４０の相対位置を表現するための画像Ｇ２を生成する。例えば、特定部３３が特定した色名「茶色」／ＲＧＢ値「１２８：０：０」と、色名「緑」／ＲＧＢ値「０：１２８：０」と、色名「紺」／ＲＧＢ値「０：０：１２８」と、を合成した色名「灰色」／ＲＧＢ値「１２８：１２８：１２８」の画像Ｇ２を生成する。次に、通信部３１は、画像生成部３５が生成した画像をスマートフォン１０，４０に送信する。そして、スマートフォン１０，４０のディスプレイ１２に画像Ｇ２を表示する。
【００４５】
本実施形態によれば、スマートフォン１０，４０から無線信号を受けた複数のゲートウェイ装置ＩＤを取得し、特定部は、ゲートウェイ装置ＩＤと当該ＩＤに割り当てた色とを関連づけて記録する色ＤＢを参照することにより、取得された複数のゲートウェイ装置ＩＤに関連づけられた複数の色を特定し、画像生成部は、特定された複数の色を合成した画像を生成する。このように、複数色を合成することで得られた色の画像を用いてスマートフォン１０，４０（ユーザ）の位置をユーザに対して提供できる。つまり、ユーザの移動に伴って合成色を滑らかに変化させることができるので、スマートフォン１０，４０（ユーザ）の移動の状況を適切に提供できる。
【００４６】
図８及び図９を用いて本発明の実施形態の適用例を説明する。図８は、ユーザが病院内を移動する場合においてユーザの位置を表現するための画像の表示例である。図８において、病院Ｈ内には、不図示であるが、所定の間隔で赤、緑及び青のいずれかの色が予め割り当てられた各ゲートウェイ装置が配置されており、例えば、第１駐車場には、青色が予め割り当てられたゲートウェイ装置が配置されており、第３病棟には、赤色が予め割り当てられたゲートウェイ装置が配置されている。ここで、赤色は、通常、立ち入ってはいけない又は近づいてはいけない場所等に表示される色であるところ、例えば、ユーザＵのスマートフォン１０，４０に赤色の画像が表示された場合は、ユーザＵは、この場所には立ち入ってはいけない又は近づいてはいけないと判断することができる。図８に示すように、例えば、ユーザＵが外部から病院Ｈ内の第１駐車場に到達した場合には、スマートフォン１０，４０には、青色の画像Ｇ３が表示される。そして、ユーザＵが第３病棟に近づくと又は到達するとスマートフォン１０，４０には、赤色の画像Ｇ４が表示される。ユーザＵは、第３病棟には立ち入ってはいけない又は近づいてはいけないと判断できる。また、病院としても、ユーザＵに対して、所定の場所に立ち入らせない又は近づかせないことが可能となる。なお、図８の例において、スマートフォン１０，４０に表示される画像の色は、単一色である必要はなく、合成色であってもよい。
【００４７】
図９は、複数のユーザが屋外のフィールドで所定の目的地に集合する場合においてユーザの位置を表現するための画像の表示例である。図９において、フィールドＦ内には、不図示であるが、所定の間隔で赤、緑及び青のいずれかの色が予め割り当てられた各ゲートウェイ装置が配置されており、例えば、位置（１）には、緑色が予め割り当てられたゲートウェイ装置が配置されており、位置（３）には、青色が予め割り当てられたゲートウェイ装置が配置されており、位置（６）には、赤色が予め割り当てられたゲートウェイ装置が配置されている。ここで、各ユーザＵ１及びＵ２は、スマートフォン１０，４０に表示される画像が赤色になる位置（６）（目的地）で集合することを約束している。ここで、ユーザＵ１は、位置（１）から移動し、位置（６）に向かい、ユーザＵ２は、位置（３）から位置（６）に向かう。ユーザＵ１が位置（１）にいる場合は、ユーザＵ１のスマートフォン１０，４０には、緑色の画像Ｇ５が表示されるが、位置（６）に到達するとユーザＵ１のスマートフォン１０，４０には、赤色の画像Ｇ６が表示される。また、ユーザＵ２が位置（３）にいる場合は、ユーザＵ２のスマートフォン１０，４０には、青色の画像Ｇ７が表示されるが、位置（６）に到達するとユーザＵ２のスマートフォン１０，４０には、赤色の画像Ｇ８が表示される。このように、各ユーザＵ１及びＵ２は、異なる位置から出発して、スマートフォン１０，４０に表示される画像の色を確認しながら移動することで同一の目的地に到達することが可能となる。なお、図９の例において、スマートフォン１０，４０に表示される画像の色は、単一色である必要はなく、合成色であってもよい。
【００４８】
＜他の実施形態＞
上記実施形態は、本発明の理解を容易にするためのものであり、本発明を限定して解釈するものではない。本発明はその趣旨を逸脱することなく、変更／改良（たとえば、各実施形態を組み合わせること、各実施形態の一部の構成を省略すること）され得るとともに、本発明にはその等価物も含まれる。
【００４９】
例えば、ゲートウェイ装置に対する発信装置の相対位置を表現するための画像は、ユーザが色を把握できればよく、画像の形状に制限はない。例えば画像は、丸形状に限られず、多角形状であってもよく、星型や月型の形状というような特殊な形状であってもよい。また、画像は、ユーザ端末装置のディスプレイ全体に表示されてもよいし、当該ディスプレイの一部に表示されてもよい。
【符号の説明】
【００５０】
１…画像生成システム、１０…発信装置、１２…ディスプレイ、２０…ゲートウェイ装置、２１…通信部、２３…測定部、２５…受信強度データベース（ＤＢ）、３０…サーバ装置、３１…通信部、３３…特定部、３５…画像生成部、３７…色濃度データベース（ＤＢ）、３９…色データベース（ＤＢ）、４０…ユーザ端末装置、Ｎ１…第１通信ネットワーク、Ｎ２…第２通信ネットワーク、Ｎ３…第３通信ネットワーク。
【図１】
2019015586.tif 000003
【図２】
2019015586.tif 000004
【図３】
2019015586.tif 000005
【図４】
2019015586.tif 000006
【図５】
2019015586.tif 000007
【図６】
2019015586.tif 000008
【図７】
2019015586.tif 000009
【図８】
2019015586.tif 000010
【図９】
2019015586.tif 000011